(57)【要約】      （修正有）【課題】色補正処理後に画像処理が施されたとしても、補正手段により印刷色範囲外に補正することで、蛍光色と印刷色とを分離し、再び蛍光色の色補正で意図した色へと補正することができる画像処理装置およびプログラムを提供する。【解決手段】画像処理装置は、原稿を読み取って多値の画像データを生成する読取部と、前記読取手段によって生成された多値の画像データの少なくとも一部が、蛍光色を示す色として予め定められた第１の範囲に含まれる場合、印刷色範囲外に位置するように前記第１の範囲に含まれる画像データを補正する第１の補正手段とを備えることにより、色補正処理後に画像処理が施されたとしても、補正手段により印刷色範囲外に蛍光色を補正することで、蛍光色と印刷色範囲とを分離し、再び蛍光色の色補正で意図した色へ補正することができる。【選択図】図１
2011259388.tif 000002
【特許請求の範囲】
【請求項１】
原稿を読み取って多値の画像データを生成する読取部と、
前記読取手段によって生成された多値の画像データの少なくとも一部が、蛍光色を示す色として予め定められた第１の範囲に含まれる場合、印刷色範囲外に位置するように前記第１の範囲に含まれる画像データを補正する第１の補正手段と
を備える画像処理装置。
【請求項２】
前記第１の補正手段で補正された多値の画像データに対して画像処理を施す画像処理手段と、
前記画像処理手段によって画像処理が施された多値の画像データの少なくとも一部が、蛍光色を示す色として予め定められた第２の範囲に含まれる場合、印刷色範囲内に位置するように前記第２の範囲に含まれる画像データを補正する第２の補正手段と
をさらに備える請求項１に記載の画像処理装置。
【請求項３】
前記印刷色範囲は、一般の印刷物の色として予め抽出された複数のカラーパッチの値に基づいて定められた範囲である
請求項１又は２に記載の画像処理装置。
【請求項４】
前記第１の補正手段は、さらに、前記第１の範囲に含まれる画像データと前記印刷色範囲内の該画像データの色に最も近い周辺範囲との間に位置する第１の中間範囲に含まれた画像データを、前記第１の中間範囲の位置に応じて補正する
請求項１乃至３のいずれかに記載の画像処理装置。
【請求項５】
前記第２の補正手段は、さらに、前記画像処理手段によって画像処理が施され、前記第２の範囲に含まれる画像データと前記印刷色範囲内の該画像データの色に最も近い周辺範囲との間に位置する第２の中間範囲に含まれた画像データを、前記第２の中間範囲の位置に応じて補正する
請求項２乃至４のいずれかに記載の画像処理装置。
【請求項６】
前記多値の画像データを出力する出力手段をさらに備え、
前記第２の補正手段は、前記画像処理手段によって画像処理された多値の画像データの一部が前記第２の範囲に含まれる場合、前記出力手段の色範囲内に位置するように前記第２の範囲に含まれた画像データを補正する
請求項２乃至５のいずれかに記載の画像処理装置。
【請求項７】
前記出力手段の色範囲は、前記出力手段で再現させる色として予め抽出された複数のカラーパッチの値に基づいて定められた範囲である
請求項６に記載の画像処理装置。
【請求項８】
前記第１の補正手段は、前記第１の範囲が複数ある場合、前記読取手段によって生成された多値の画像データの一部が、複数の前記第１の範囲に含まれるとき、複数の前記第１の範囲に含まれる画像データが互いに予め定められた距離となるように補正する
請求項１乃至７のいずれかに記載の画像処理装置。
【請求項９】
前記第２の補正手段は、前記第２の範囲が複数ある場合、前記画像処理手段によって画像処理が施された多値の画像データの一部が、複数の前記第２の範囲に含まれるとき、複数の前記第２の範囲に含まれる画像データが互いに予め定められた距離となるように補正する
請求項１乃至８のいずれかに記載の画像処理装置。
【請求項１０】
原稿を読み取って多値の画像データを生成する読取手段と、
前記読取手段によって生成された多値の画像データの少なくとも一部が、蛍光色を示す色として予め定められた第１の範囲に含まれる場合、印刷色範囲外に位置するように前記第１の範囲に含まれる画像データを補正する第１の補正手段と、
前記第１の補正手段によって補正処理が施された多値の画像データの少なくとも一部が、蛍光色を示す色として予め定められた第３の範囲に含まれなかった場合、前記第３の範囲に含まれなかった画像データに対して画像処理を施し、前記第１の補正手段により補正処理が施された多値の画像データの少なくとも一部が、前記第３の範囲に含まれる場合、前記第３の範囲に含まれる画像データに対して前記画像処理を施さない画像処理手段と、
前記第１の補正手段により補正処理が施された多値の画像データの少なくとも一部が前記第３の範囲に含まれ、前記画像処理手段が、前記第１の補正手段により補正処理が施された多値の画像データの少なくとも一部に対して前記画像処理を施さなかった場合、印刷色範囲内に位置するように前記第３の範囲に含まれる画像データを補正する第２の補正手段と
を備える画像処理装置。
【請求項１１】
前記印刷色範囲は、一般の印刷物の色として予め抽出された複数のカラーパッチの値に基づいて定められた範囲である
請求項１０に記載の画像処理装置。
【請求項１２】
前記多値の画像データを出力する出力手段
をさらに有し、
前記第２の補正手段は、前記画像処理手段によって画像処理された多値の画像データの一部が蛍光色を示す色として予め定められた第２の範囲に含まれる場合、前記出力手段の色範囲の内側に位置するように前記第２の範囲に含まれた画像データを補正する
請求項１０又は１１に記載の画像処理装置。
【請求項１３】
前記出力手段の色範囲は、前記出力手段で再現させる色として予め抽出された複数のカラーパッチの値に基づいて定められた範囲である
請求項１２に記載の画像処理装置。
【請求項１４】
前記第２の補正手段は、さらに、前記画像処理手段によって画像処理が施される前の前記第３の範囲に含まれる画像データと前記印刷色範囲内の該画像データの色に最も近い周辺範囲との間に位置する第２の中間範囲に含まれた画像データを、前記第２の中間範囲の位置に応じて補正する
請求項１２又は１３に記載の画像処理装置。
【請求項１５】
コンピュータを含む画像処理装置において、
原稿を読み取って多値の画像データを生成するステップと、
前記生成された多値の画像データの少なくとも一部が、蛍光色を示す色として予め定められた第１の範囲に含まれる場合、印刷色範囲外に位置するように前記第１の範囲に含まれる画像データを補正するステップと
を前記コンピュータに実行させるプログラム。
【請求項１６】
コンピュータを含む画像処理装置において、
原稿を読み取って多値の画像データを生成するステップと、
前記生成された多値の画像データの少なくとも一部が、蛍光色を示す色として予め定められた第１の範囲に含まれる場合、印刷色範囲外に位置するように前記第１の範囲に含まれる画像データを補正するステップと、
前記補正処理が施された多値の画像データの少なくとも一部が、蛍光色を示す色として予め定められた第３の範囲に含まれなかった場合、前記第３の範囲に含まれなかった画像データに対して画像処理を施し、前記第１の補正手段により補正処理が施された多値の画像データの少なくとも一部が、前記第３の範囲に含まれる場合、前記第３の範囲に含まれる画像データに対して前記画像処理を施さないステップと、
前記補正処理が施された多値の画像データの少なくとも一部が前記第３の範囲に含まれ、前記補正処理が施された多値の画像データの少なくとも一部に対して前記画像処理が施されなかった場合、印刷色範囲内に位置するように前記第３の範囲に含まれる画像データを補正するステップと
を前記コンピュータに実行させるプログラム。
【発明の詳細な説明】
【技術分野】
【０００１】
本発明は、原稿から読み取った画像データを処理する画像処理装置およびプログラムに関する。
【背景技術】
【０００２】
鉛筆やボールペンで記された文字等が重要であることを明示するため、半透明の蛍光色が重ねて塗られることがある。蛍光色に用いられる顔料は、太陽光などに色光とともに含まれている無色の紫外線をエネルギーとして吸収して励起状態となり、余分なエネルギーを長い波長の色光に変えて放出する。このとき放出される色光が蛍光である。蛍光色に用いられる顔料の種類によって、吸収した紫外線エネルギーをどのような波長の色光に変えて再放出するかが異なり、この違いが蛍光色の違いになる。
減法混色に基づいて記録材へ画像を出力する場合、入力画像データの示す階調を、記録材の色再現域に合わせるため、入力画像データの再現可能な色範囲を圧縮させる処理がなされる（色空間圧縮処理）。ここで、シアン成分（Ｃ）、マゼンタ成分（Ｍ）、イエロー成分（Ｙ）、黒成分（Ｋ）の４色の色材を減法混色することによりフルカラー画像を形成する画像出力装置では、フルカラーの原稿画像に蛍光色が含まれている場合、上記色空間圧縮処理によって、蛍光色特有の質感や蛍光感が失われたり、異なる種類の蛍光色が同じ色に再現されたりすることがある。
そこで、特許文献１に開示されるように、原稿から読み込んだ画像データをそのまま用紙に再現する通常モードと、原稿から読み込んだ画像データにおいて、蛍光画素を判別する蛍光色判別モードとを設け、蛍光色判別モードにおけるシェーディング補正のゲインを通常モードよりも低く設定していた。
また、特許文献２に開示されるように、特定の蛍光色を示す色成分ごとのデータを予め読取値として設定し、この読取値と入力画像データの画素を比較することにより、入力画像データの画素がいずれの蛍光色の画素であるかを判断していた。
しかしながら、特許文献１，２の方法は、蛍光色に対応する補正データの色値を非蛍光色すなわち一般の印刷物の色として抽出されたカラーパッチの色値としている。このため、色補正後に非蛍光色に対して画像処理（例えば、階調変換処理、色変換処理、空間フィルタ処理）が施されると、蛍光色の色補正で意図した色値からずれた一般の印刷物の色となり、再び蛍光色の色補正で意図した色へ補正すると、一般の印刷物の色再現に影響を与えていた。
【先行技術文献】
【特許文献】
【０００３】
【特許文献１】特許第４０２７８１４号
【特許文献２】特開２００４−２４２１０６号公報
【発明の概要】
【発明が解決しようとする課題】
【０００４】
本発明の目的は、色補正処理後に画像処理が施されたとしても、補正手段により印刷色範囲外に蛍光色を補正することで、蛍光色と印刷色とを分離し、再び蛍光色の色補正で意図した色へ補正することができる画像処理装置およびプログラムを提供することを目的とする。
【課題を解決するための手段】
【０００５】
[画像処理装置]
請求項１に係る本発明は、原稿を読み取って多値の画像データを生成する読取部と、前記読取手段によって生成された多値の画像データの少なくとも一部が、蛍光色を示す色として予め定められた第１の範囲に含まれる場合、印刷色範囲外に位置するように前記第１の範囲に含まれる画像データを補正する第１の補正手段とを備える画像処理装置である。
【０００６】
請求項２に係る本発明は、前記第１の補正手段で補正された多値の画像データに対して画像処理を施す画像処理手段と、前記画像処理手段によって画像処理が施された多値の画像データの少なくとも一部が、蛍光色を示す色として予め定められた第２の範囲に含まれる場合、印刷色範囲内に位置するように前記第２の範囲に含まれる画像データを補正する第２の補正手段とをさらに備える請求項１に記載の画像処理装置である。
【０００７】
請求項３に係る本発明は、前記印刷色範囲は、一般の印刷物の色として予め抽出された複数のカラーパッチの値に基づいて定められた範囲である請求項１又は２に記載の画像処理装置である。
【０００８】
請求項４に係る本発明は、前記第１の補正手段は、さらに、前記第１の範囲に含まれる画像データと前記印刷色範囲内の該画像データの色に最も近い周辺範囲との間に位置する第１の中間範囲に含まれた画像データを、前記第１の中間範囲の位置に応じて補正する請求項１乃至３のいずれかに記載の画像処理装置である。
【０００９】
請求項５に係る本発明は、前記第２の補正手段は、さらに、前記画像処理手段によって画像処理が施され、前記第２の範囲に含まれる画像データと前記印刷色範囲内の該画像データの色に最も近い周辺範囲との間に位置する第２の中間範囲に含まれた画像データを、前記第２の中間範囲の位置に応じて補正する請求項２乃至４のいずれかに記載の画像処理装置である。
【００１０】
請求項６に係る本発明は、前記多値の画像データを出力する出力手段をさらに備え、前記第２の補正手段は、前記画像処理手段によって画像処理された多値の画像データの一部が前記第２の範囲に含まれる場合、前記出力手段の色範囲内に位置するように前記第２の範囲に含まれた画像データを補正する請求項２乃至５のいずれかに記載の画像処理装置である。
【００１１】
請求項７に係る本発明は、前記出力手段の色範囲は、前記出力手段で再現させる色として予め抽出された複数のカラーパッチの値に基づいて定められた範囲である請求項６に記載の画像処理装置である。
【００１２】
請求項８に係る本発明は、前記第１の補正手段は、前記第１の範囲が複数ある場合、前記読取手段によって生成された多値の画像データの一部が、複数の前記第１の範囲に含まれるとき、複数の前記第１の範囲に含まれる画像データが互いに予め定められた距離となるように補正する請求項１乃至７のいずれかに記載の画像処理装置である。
【００１３】
請求項９に係る本発明は、前記第２の補正手段は、前記第２の範囲が複数ある場合、前記画像処理手段によって画像処理が施された多値の画像データの一部が、複数の前記第２の範囲に含まれるとき、複数の前記第２の範囲に含まれる画像データが互いに予め定められた距離となるように補正する請求項１乃至８のいずれかに記載の画像処理装置である。
【００１４】
請求項１０に係る本発明は、原稿を読み取って多値の画像データを生成する読取手段と、前記読取手段によって生成された多値の画像データの少なくとも一部が、蛍光色を示す色として予め定められた第１の範囲に含まれる場合、印刷色範囲外に位置するように前記第１の範囲に含まれる画像データを補正する第１の補正手段と、前記第１の補正手段によって補正処理が施された多値の画像データの少なくとも一部が、蛍光色を示す色として予め定められた第３の範囲に含まれなかった場合、前記第３の範囲に含まれなかった画像データに対して画像処理を施し、前記第１の補正手段により補正処理が施された多値の画像データの少なくとも一部が、前記第３の範囲に含まれる場合、前記第３の範囲に含まれる画像データに対して前記画像処理を施さない画像処理手段と、前記第１の補正手段により補正処理が施された多値の画像データの少なくとも一部が前記第３の範囲に含まれ、前記画像処理手段が、前記第１の補正手段により補正処理が施された多値の画像データの少なくとも一部に対して前記画像処理を施さなかった場合、印刷色範囲内に位置するように前記第３の範囲に含まれる画像データを補正する第２の補正手段とを備える画像処理装置である。
【００１５】
請求項１１に係る本発明は、前記印刷色範囲は、一般の印刷物の色として予め抽出された複数のカラーパッチの値に基づいて定められた範囲である請求項１０に記載の画像処理装置である。
【００１６】
請求項１２に係る本発明は、前記多値の画像データを出力する出力手段をさらに有し、前記第２の補正手段は、前記画像処理手段によって画像処理された多値の画像データの一部が蛍光色を示す色として予め定められた第２の範囲に含まれる場合、前記出力手段の色範囲の内側に位置するように前記第２の範囲に含まれた画像データを補正する請求項１１又は１２に記載の画像処理装置である。
【００１７】
請求項１３に係る本発明は、前記出力手段の色範囲は、前記出力手段で再現させる色として予め抽出された複数のカラーパッチの値に基づいて定められた範囲である請求項１２に記載の画像処理装置である。
【００１８】
請求項１４に係る本発明は、前記第２の補正手段は、さらに、前記画像処理手段によって画像処理が施される前の前記第３の範囲に含まれる画像データと前記印刷色範囲内の該画像データの色に最も近い周辺範囲との間に位置する第２の中間範囲に含まれた画像データを、前記第２の中間範囲の位置に応じて補正する請求項１２又は１３に記載の画像処理装置である。
【００１９】
請求項１５に係る本発明は、コンピュータを含む画像処理装置において、原稿を読み取って多値の画像データを生成するステップと、前記生成された多値の画像データの少なくとも一部が、蛍光色を示す色として予め定められた第１の範囲に含まれる場合、印刷色範囲外に位置するように前記第１の範囲に含まれる画像データを補正するステップとを前記コンピュータに実行させるプログラムである。
【００２０】
請求項１６に係る本発明は、コンピュータを含む画像処理装置において、原稿を読み取って多値の画像データを生成するステップと、前記生成された多値の画像データの少なくとも一部が、蛍光色を示す色として予め定められた第１の範囲に含まれる場合、印刷色範囲外に位置するように前記第１の範囲に含まれる画像データを補正するステップと、前記補正処理が施された多値の画像データの少なくとも一部が、蛍光色を示す色として予め定められた第３の範囲に含まれなかった場合、前記第３の範囲に含まれなかった画像データに対して画像処理を施し、前記第１の補正手段により補正処理が施された多値の画像データの少なくとも一部が、前記第３の範囲に含まれる場合、前記第３の範囲に含まれる画像データに対して前記画像処理を施さないステップと、前記補正処理が施された多値の画像データの少なくとも一部が前記第３の範囲に含まれ、前記補正処理が施された多値の画像データの少なくとも一部に対して前記画像処理が施されなかった場合、印刷色範囲内に位置するように前記第３の範囲に含まれる画像データを補正するステップとを前記コンピュータに実行させるプログラムである。
【発明の効果】
【００２１】
請求項１に係る本発明によれば、第１の補正手段による色補正処理後に画像処理が施されたとしても、蛍光色と印刷色とを分離する画像処理装置を提供することができる。
【００２２】
請求項２に係る本発明によれば、第１の補正手段による色補正処理後に画像処理が施された場合、本構成を有していない場合に比べて、印刷色の色再現に影響を与えることなく第２の補正手段で再び蛍光色を印刷色範囲内の意図した色に補正する画像処理装置を提供することができる。
【００２３】
請求項３に係る本発明によれば、第１の補正手段及び第２の補正手段において一般印刷物の色範囲外及び色範囲内に画像データを補正する画像処理装置を提供することができる。
【００２４】
請求項４に係る本発明によれば、本構成を有していない場合に比べて、第１の補正手段による補正後であっても、蛍光色と周辺色との階調ジャンプあるいは階調の不連続性を防ぎながら、色再現の自由度を上げる画像処理装置を提供することができる。
【００２５】
請求項５に係る本発明によれば、本構成を有していない場合に比べて、第２の補正手段による補正後であっても、画像処理が施された蛍光色と周辺色との階調ジャンプあるいは階調の不連続性を防ぎながら、色再現の自由度を上げる画像処理装置を提供することができる。
【００２６】
請求項６に係る本発明によれば、第２の補正手段において、本構成を有していない場合に比べて、蛍光色を出力装置の色範囲内の意図した色に補正する画像処理装置を提供することができる。
【００２７】
請求項７に係る本発明によれば、第２の補正手段において、出力手段の色範囲内に画像データを補正する画像処理装置を提供することができる。
【００２８】
請求項８に係る本発明によれば、本構成を有していない場合に比べて、第１の補正手段にて特定の蛍光色の組合せの識別性の低下を防ぎながら、画像データを補正する画像処理装置を提供することができる。
【００２９】
請求項９に係る本発明によれば、本構成を有していない場合に比べて、第２の補正手段にて特定の蛍光色の組合せの識別性の低下を防ぎながら、画像データを補正する画像処理装置を提供することができる。
【００３０】
請求項１０に係る本発明によれば、本構成を有していない場合に比べて、第１の補正手段で意図した色再現性を維持する画像処理装置を提供することができる。
【００３１】
請求項１１に係る本発明によれば、第１の補正手段及び第２の補正手段において、一般印刷物の色範囲外及び色範囲内に画像データを補正する画像処理装置を提供することができる。
【００３２】
請求項１２に係る本発明によれば、本構成を有していない場合に比べて、蛍光色を出力装置の色範囲内の意図した色に補正する画像処理装置を提供することができる。
【００３３】
請求項１３に係る本発明によれば、第２の補正手段において、出力手段の色範囲内に画像データを補正する画像処理装置を提供することができる。
【００３４】
請求項１４に係る本発明によれば、本構成を有していない場合に比べて、第２の補正手段による補正後であっても、画像処理が施された蛍光色と周辺色との階調ジャンプあるいは階調の不連続性を防ぎながら、色再現の自由度を上げる画像処理装置を提供することができる。
【００３５】
請求項１５に係る本発明によれば、第１の補正手段による色補正処理後に画像処理が施されたとしても、蛍光色と印刷色とを分離するプログラムを提供することができる。
【００３６】
請求項１６に係る本発明によれば、本構成を有していない場合に比べて、第１の補正手段で意図した色再現性を維持する画像処理装置を提供することができる。
【図面の簡単な説明】
【００３７】
【図１】本発明の第１の実施形態に係る画像処理装置の機能ブロック図である。
【図２】第１の範囲を例示する表である。
【図３】第１の範囲及び第１の閾値の対応付けを示す表である。
【図４】第２の範囲を例示する表である。
【図５】第２の範囲及び第２の閾値の対応付けを示す表である。
【図６】第１の範囲、第２の範囲及び色範囲等をさらに説明するためのイメージ図である。
【図７】第１の範囲、第２の範囲及び色範囲等をさらに説明するためのイメージ図である。
【図８Ａ】図７のイメージ図の一部の拡大図である。
【図８Ｂ】図７のイメージ図の一部の拡大図である。
【図８Ｃ】図７のイメージ図の一部の拡大図である。
【図９】本発明の第１の実施形態に係る画像処理装置の全体動作を示すフローチャートである。
【図１０Ａ】図１に示した画像処理装置の変形例の機能ブロック図である。
【図１０Ｂ】図１に示した画像処理装置の変形例の機能ブロック図である。
【図１０Ｃ】図１に示した画像処理装置の変形例の機能ブロック図である。
【図１１】本発明の第２の実施形態に係る画像処理装置の機能ブロック図である。
【図１２】重み付けの値と、第１の範囲から第１の中間範囲への距離との関係を示す図である。
【図１３】図１１を参照して説明した、第２の判定部でなされる判定をさらに説明するためのイメージ図である。
【図１４】本発明の第２の実施形態に係る画像処理装置の全体動作を示すフローチャートである。
【図１５】本発明の第２の実施形態に係る画像処理装置の全体動作を示すフローチャートである。
【発明を実施するための最良の形態】
【００３８】
以下、本発明の実施形態について、図面を参照して詳細に説明する。なお、以下の説明は本発明を実施するのにあたっての一例に過ぎず、本発明が以下に説明される事項に限定されるわけではなく、必要に応じて適宜変更可能である。
【００３９】
[第１の実施形態]
図１は、本発明の第１の実施形態に係る画像処理装置１の機能ブロック図である。
画像処理装置１は、例えば、コピー、プリント及びファクシミリ送信などの複数の機能を有する複合機であり、図１に示すように、制御部１００、記憶部１０２、通信部１０４、入力部１０６、画像処理部１０８、出力部１１０及びバス１１２から構成される。
なお、以下の各図において、実質的に同じ構成部分には、同じ符号が付されている。
【００４０】
[制御部，記憶部，通信部]
制御部１００は、例えば、ＣＰＵであり、バス１１２を介して、記憶部１０２、通信部１０４、入力部１０６、画像処理部１０８及び出力部１１０の間でデータを送受信し、各部を制御する。
記憶部１０２は、ＲＯＭ、ＲＡＭ及びハードディスクなどの記憶装置である。記憶部１０２は、例えば、画像処理装置１などで動作するプログラム、読取部１１４によって読み取られた画像データ、画像処理部１０８によって各種画像処理が施された画像データ、第１の閾値及び第２の閾値を記憶する。
通信部１０４は、例えば、ネットワークインターフェースであり、画像処理部１０８によって各種画像処理が施された画像データを他の装置に送信する。
【００４１】
[入力部]
入力部１０６は、例えばスキャナであり、プラテンガラスなどに置かれた原稿を読み込み、画像データを生成する。入力部１０６は、読取部１１４、第１の判定部１１６、第１の色補正部１１８及び第１の色変換部１２０から構成される。なお、第１の判定部１１６、第１の色補正部１１８及び第１の色変換部１２０は、記憶部１０２から読み込まれ、入力部１０６で動作するプログラムとして実装されてもよい。
また、３次元ルックアップテーブルを用いて色変換を行ってもよい。
読取部１１４は、色を感知するセンサであり、例えば、ＣＣＤ（Ｃｈａｒｇｅ  Ｃｏｕｐｌｅｄ  Ｄｅｖｉｃｅ；荷電結合素子）が用いられる。読取部１１４は、プラテンガラスなどに置かれた原稿を走査し、Ｒ（Ｒｅｄ）、Ｇ（Ｇｒｅｅｎ）、Ｂ（Ｂｌｕｅ）という光の三原色からなる画像信号を生成し、原稿を示す画像データ（例えば、８ビット（２５６階調）のデジタルデータ）として判定部１１６に出力する。
第１の判定部１１６は、読取部１１４から出力された画像データが、少なくとも２つの第１の範囲を含むか否かを判定する。ここで、第１の範囲とは、予め定められた複数の異なる種類の蛍光色ごとに、予め設定されたＲＧＢ値の範囲を意味する。
【００４２】
例えば、第１の範囲は、図２に示すように、蛍光色を示すＲＧＢ値の範囲として予め設定される。ここでは、４つの第１の範囲が存在している。
図２に示すように、イエローの蛍光色について、Ｒ値及びＧ値が０〜１０、Ｂ値が７０〜８０と設定され、オレンジの蛍光色について、Ｒ値が０〜１０、Ｇ値が４０〜５０、Ｂ値が９０〜１００と設定されている。また、ピンクの蛍光色について、Ｒ値が０〜１０、Ｇ値が７０〜８０、Ｂ値が６０〜７０と設定され、パープルの蛍光色について、Ｒ値が７０〜１００、Ｇ値が９０〜１００、Ｂ値が２０〜３０と設定されている。
なお、これらの数値は、階調数が２５６である場合の値である。
【００４３】
図１の第１の判定部１１６は、読取部１１４から出力された画像データの少なくとも一部（以下、単に「一部」）が、予め定められた複数の第１の範囲のうち、予め定められた組合せの第１の範囲に含まれるか否かを判定する。第１の判定部１１６は、画像データの一部が、例えば、プリントすると同じ色になりやすい組合せ（例えば、イエロー及びオレンジ、パープル及びピンク。３つ以上の色を組み合わせてもよい。）の第１の範囲に含まれるか否かを判定する。
画像データの一部が予め定められた組合せの第１の範囲に含まれない場合には、読取部１１４から出力された画像データは、何の処理も施されず、第１の色変換部１２０に出力される。
一方、そうでない場合には、読取部１１４から出力された画像データは、第１の色補正部１１８に出力される。第１の色補正部１１８は、第１の範囲に含まれる画像データを補正し、色補正処理後の画像データを第１の色変換部１２０に出力する。
具体的には、第１の色補正部１１８は、入力部１０６において予め設定された印刷色範囲（以下、「印刷色範囲」。印刷色範囲とは、あらかじめ一般の印刷物の色として抽出された複数カラーパッチの値である。）外で、第１の範囲に含まれる画像データの距離が第１の閾値以上となるよう、第１の範囲に含まれる画像データを補正する。
なお、第１の閾値は、第１の範囲に含まれる画像データの識別性が高まるよう（つまり、第１の範囲に含まれる画像データが一定の距離だけ離れるよう）、予め設定され、記憶部１０２に記憶される。
【００４４】
第１の色補正部１１８は、例えば、図３に示すように、画像データの一部がイエロー及びオレンジの蛍光色を示す第１の範囲に含まれる場合、印刷色範囲外で、第１の範囲に含まれる画像データの色相角の差が第１の閾値である３０度以上となるよう、図１の読取部１１４から出力され、第１の範囲に含まれる画像データを補正する。
なお、画像データの一部がパープル及びピンクの蛍光色を示す第１の範囲に含まれる場合についても、同様である。
また、ここでは、第１の範囲に含まれる画像データの距離は、色相角の差によって示されると説明したが、彩度の差などによって示されてもよい。
【００４５】
図１の第１の色変換部１２０は、判定部１１６又は第１の色補正部１１８から出力された画像データを、読取部１１４が読み取る表色系とは異なる表色系（例えば、ＣＩＥ  Ｌ＊ａ＊ｂ＊表色系。デバイス非依存の他の表色系であってもよい。）に変換し、色変換処理後の画像データを画像処理部１０８に出力する。
なお、第１の色変換処理が施された画像データは、記憶部１０２に記憶され、通信部１０４を介して他の装置に送信されてもよい。
また、ここでは、第１の判定部１１６による判定結果に応じて、第１の色補正部１１８による色補正処理（以下、「第１の色補正処理」）の後、第１の色変換処理が実行されると説明したが、第１の色変換部１２０による色変換処理（以下、「第１の色変換処理」）と同時に第１の色補正処理が実行されてもよい（後述する他の色補正処理についても同様）。
【００４６】
[画像処理部]
画像処理部１０８は、例えば、記憶部１０２から読み込まれ、画像処理装置１で動作するプログラムとして実装され、第１の色変換部１２０から出力された画像データに対して各種画像処理を施す。画像処理部１０８は、後処理部１２２、第２の判定部１２４、第２の色補正部１２６及び第２の色変換部１２８から構成される。
第１の色変換部１２０から出力された画像データは、後処理部１２２に出力される。
後処理部１２２は、第１の色変換部１２０から出力された画像データに対し、さらなる画像処理（例えば、画像の強調、画像の平滑化及び画像の輪郭抽出などを目的とした空間フィルタ処理及び階調変換処理など）を施し、画像処理後の画像データを、第２の判定部１２４における判定結果に応じて、第２の色補正部１２６又は第２の色変換部１２８に出力する。
【００４７】
第２の判定部１２４は、後処理部１２２から出力された画像データの一部が、予め定められた複数の第２の範囲のうち、予め定められた組合せの第２の範囲に含まれるか否かを判定する。ここで、第２の範囲とは、予め定められた複数の異なる種類の蛍光色ごとに、予め設定されたＣＩＥ  Ｌ＊ａ＊ｂ＊値の範囲を意味する。
例えば、第２の範囲は、図４に示すように、蛍光色を示す値の範囲として予め設定される。ここでは、４つの第２の範囲が存在する。
【００４８】
画像データの一部が予め定められた組合せの第２の範囲に含まれない場合には、後処理部１２２から出力された画像データは、何の処理も施されず、第２の色変換部１２６に出力される。
一方、そうでない場合には、後処理部１２２から出力された画像データは、第２の色補正部１２６に出力される。第２の色補正部１２６は、後処理部１２２から出力され、第２の範囲に含まれる画像データを補正し、色補正処理後の画像データを第２の色変換部１２８に出力する。
具体的には、第２の色補正部１２６は、出力部１１０において予め設定された色範囲（以下、「出力部の色範囲」。出力部の色範囲とは、あらかじめ出力手段で再現させる色として抽出された複数カラーパッチの値である。）内で、第２の範囲に含まれる画像データの距離が第２の閾値以上となるよう、第２の範囲に含まれる画像データを補正する。なお、第２の閾値は、第２の範囲に含まれる画像データの識別性が高まるよう（つまり、第２の範囲に含まれる画像データが一定の距離だけ離れるよう）、予め設定され、記憶部１０２に記憶される。
なお、後処理部１２２によって画像処理が施された画像データは、記憶部１０２に記憶され、通信部１０４を介して他の装置に送信されてもよい。また、後処理部１２２は、第１の色変換部１２０から出力された画像データの一部が、予め定められた蛍光色を示す第３の範囲に含まれる場合、第３の範囲に含まれる画像データには画像処理を施さないようにしてもよい（後述する変形例及び第２の実施形態についても同様）。
【００４９】
第２の色補正部１２６は、例えば、図５に示すように、画像データがイエロー及びオレンジの蛍光色を示す第２の範囲を含む場合、出力部の色範囲内で、これらの第２の範囲の色相角の差が第２の閾値である２０度以上となるよう、後処理部１２２から出力された画像データ（つまり、第２の色変換処理前の表色系の画像データ）に含まれる第２の範囲を補正する。なお、パープル及びピンクの蛍光色を示す第２の範囲を含む場合についても、同様である。
なお、後処理部１２２において、第１の色変換部１２０から出力された画像データの一部が、第３の範囲を含み、画像処理が施されなかった場合には、印刷色範囲内に位置するように、第３の範囲の範囲に含まれる画像データを補正する（後述する変形例及び第２の実施形態についても同様）。
【００５０】
第２の色変換部１２８は、後処理部１２２又は第２の色補正部１２６から出力された画像データを、読取部１１４が読み取る表色系及び第１の色変換処理後の表色系とは異なる表色系（例えば、ＹＭＣＫ（Ｙｅｌｌｏｗ，Ｍａｇｅｎｔａ，Ｃｙａｎ，Ｋｅｙ  ｐｌａｔｅ）表色系）に変換し、出力部１１０に出力する。
なお、第２の色変換部１２８による色変換処理（以下、「第２の色変換処理」）が施された画像データは、記憶部１０２に記憶され、通信部１０４を介して他の装置に送信されてもよい。
【００５１】
[出力部]
出力部１１０は、例えば、プリンタであり、第２の色変換部１２６から出力された画像データを用紙にプリントする。
出力部１１０は、トナー（例えば、イエロー（Ｙｅｌｌｏｗ）、マゼンタ（Ｍａｇｅｎｔａ）、シアン（Ｃｙａｎ）、ブラック（Ｋｅｙ  ｐｌａｔｅ））ごとに、感光体ドラム、帯電部、露光部、現像部及び転写部からなる画像形成ユニットを備える。
感光体ドラムは、軸を中心にして一定の速度で周回するドラム状の装置であり、帯電部によって一定の電位に帯電される。露光部は、帯電した感光体ドラムにレーザ光を照射し、静電潜像を形成する。現像部は、感光体ドラムに形成された静電潜像にトナーを付着させ、トナー像を現像する。転写部は、感光体ドラムに現像されたトナー像を、給紙トレイなどから搬送される用紙に転写する。転写部によってトナー像が転写された用紙は、排出トレイなどに排出される。
【００５２】
図６は、図１を参照して説明した、第１の範囲、第２の範囲、印刷色範囲及び出力部の色範囲をさらに説明するためのイメージ図である。
図６に示すように、図１の読取部１１４において予め定められた色範囲（以下、「読取部の色範囲」）、印刷色範囲及び出力部の色範囲は、楕円の領域として示され、印刷色範囲は出力部の色範囲を含み、読取部の色範囲は印刷色範囲を含むという包含関係にある。
また、第１の範囲及び第２の範囲は、印刷色範囲外であって、かつ、読取部の色範囲内に設定される。ここでは、ピンク及びパープルという２種類の蛍光色を示す第１の範囲及び第２の範囲が設定されている。
なお、読取部の色範囲、印刷色範囲及び出力部の色範囲は、それぞれ、ＲＧＢ表色系、ＣＩＥ  Ｌ＊ａ＊ｂ＊表色系及びＹＭＣＫ表色系に対応するとは限らず、同一の表色系で表現されることもある。また、出力部の色範囲の一部が印刷色範囲に含まれないことがあり、印刷色範囲の一部が読取部の色範囲に含まれないことがある。
なお、読取部１１４によって読取られた画像データ（ＲＧＢ値）は、図７に示すように、領域Ａ〜Ｅに分布するものとする。
【００５３】
図８は、図７のイメージ図の一部の拡大図である。
図８Ａに示すように、図１の読取部１１４によって読み取られた画像データのうち、異なる複数の第１の範囲に該当する領域がある場合（ここでは、領域Ａがピンクに該当し、領域Ｂがパープルに該当する）、読取部の色範囲において（印刷色範囲外で）、領域間の距離Ｄ１が第１の閾値以上となるよう、矢印で示す第１の色補正処理が施される。第１の色補正処理によって、領域Ａは初期位置Ａ１からＡ２に移動し、領域Ｂは初期位置Ｂ１からＢ２に移動する。
また、図８Ａに示すように、第１の色補正処理後の位置Ａ２，Ｂ２は、第１の色補正処理前の位置Ａ１，Ｂ１に比べ、読取部の色範囲の外縁に位置し、印刷色範囲外に位置する。なお、色範囲の外縁とは、色範囲の内側の部分のうち、色範囲の中心から離れた部分を意味する。
なお、図１の読取部１１４によって読取られた画像データのうち、異なる複数の第１の範囲に該当する領域以外の領域（ここでは、図７の領域Ｃ〜Ｅ）には、第１の色補正処理は行われない。また、異なる複数の第１の範囲に該当する領域がない場合には、第１の色補正処理は行われない（以下、他の補正処理についても同様）。
【００５４】
図８Ｂに示すように、領域Ａ，Ｂには、図８Ａに示した第１の色補正処理が施された後、第１の色変換処理が施される。第１の色変換処理によって、領域Ａは第１の色補正処理後の位置Ａ２からＡ３に移動し、領域Ｂは第１の色補正処理後の位置Ｂ２からＢ３に移動する。さらに、領域Ａ，Ｂには、画像処理が施され、矢印で示す位置Ａ４，Ｂ４に移動する。
【００５５】
図８Ｃに示すように、図１の後処理部１２２から出力された画像データのうち、異なる複数の第２の範囲に該当する領域がある場合（ここでは、Ａ４に位置する領域Ａがピンクに該当し、Ｂ４に位置する領域Ｂがパープルに該当する）、出力部の色範囲において（印刷色範囲外で）、領域間の距離Ｄ２が第２の閾値以上となるよう、矢印で示す第２の色補正処理が施される。第２の色補正処理によって、領域Ａは位置Ａ４からＡ５に移動し、領域Ｂは位置Ｂ４からＢ５に移動する。
図８Ｃに示すように、第２の色補正処理後の位置Ａ５，Ｂ５は、第２の色補正処理前の位置Ａ４，Ｂ４に比べ、読取部の色範囲の外縁に位置し、印刷色範囲外に位置する。さらに、図示しないが、領域Ａ，Ｂには、第２の色変換処理が施される。
【００５６】
このように、図１の読取部１１４によって読み取られた画像データの一部が、予め定められた組合せの第１の範囲及び第２の範囲に含まれる場合、色変換処理及び画像処理の前に、第１の範囲及び第２の範囲に含まれる画像データに対して色補正処理を施し、第１の範囲及び第２の範囲に含まれる画像データを一定の距離だけ離すことにより、第１の範囲及び第２の範囲に含まれる画像データの識別性を高めることができる。
また、色変換処理及び画像処理前に、第１の範囲及び第２の範囲に含まれる画像データを予め定められた距離だけ離すことにより、色変換処理及び画像処理（特に、文字強調など）後であっても意図した再現性を維持することができる。
なお、色変換処理及び画像処理の前に、色補正処理が行われるとして説明したが、画像処理が行われなくともよい。つまり、色変換処理のみが行われた前に、色補正処理を行ってもよい（後述する変形例及び第２の実施形態についても同様）。
【００５７】
図９は、本発明の第１の実施形態に係る画像処理装置１の全体動作を示すフローチャートである。
図９に示すように、ステップ１００（Ｓ１００）において、図１の読取部１１４は、プラテンガラスなどに置かれた原稿を読み取り、読み取った原稿から画像データを生成する。
ステップ１０２（Ｓ１０２）において、図１の第１の判定部１１６は、ステップ１００において生成された画像データの一部が、予め定められた組合せの第１の範囲に含まれるか否かを判定する。画像データの一部が第１の範囲に含まれない場合には、ステップ１０４の処理に進み、そうでない場合には、ステップ１１０の処理に進む。
【００５８】
ステップ１０４（Ｓ１０８）において、図１の第１の色変換部１２０は、ステップ１００において生成された画像データに対して色変換処理を施す。
ステップ１０６（Ｓ１０６）において、図１の後処理部１２２は、ステップ１０４において色変換処理が施された画像データに対して画像処理を施す。
ステップ１０８（Ｓ１０８）において、図１の第２の色変換部１２６は、ステップ１０６において画像処理が施された画像データに対して色変換処理を施す。
【００５９】
ステップ１１０（Ｓ１１０）において、図１の第１の色補正部１１８は、ステップ１００において生成され、第１の範囲に含まれる画像データに対して色補正処理を施す。
ステップ１１２（Ｓ１１２）において、図１の第１の色変換部１２０は、ステップ１１０において色補正処理が施された画像データに対して色変換処理を施す。
ステップ１１４（Ｓ１１４）において、図１の後処理部１２２は、ステップ１１２において色変換処理が施された画像データに対して画像処理を施す。なお、上述したように、ステップ１１２の処理後の画像データの一部が第３の範囲に含まれる場合には、第３の範囲に含まれる画像データには、画像処理を施さないようにしてもよい。
ステップ１１６（Ｓ１１６）において、図１の第２の判定部１２４は、ステップ１１４において画像処理が施された画像データの一部が、予め定められた組合せの第２の範囲に含まれるか否かを判定する。画像データの一部が第２の範囲に含まれない場合には、ステップ１１８の処理に進み、そうでない場合には、ステップ１２０の処理に進む。
ステップ１１８（Ｓ１１８）において、図１の第２の色変換部１２８は、ステップ１１４において画像処理が施された画像データに対して色変換処理を施す。
ステップ１２０（Ｓ１２０）において、図１の第２の色補正部１２６は、ステップ１１４において画像処理が施され、第２の範囲に含まれる画像データに対して色補正処理を施す。
ステップ１２２（Ｓ１２２）において、図１の第２の色変換部１２８は、ステップ１２０において色補正処理が施された画像データに対して色変換処理を施す。
ステップ１２４（Ｓ１２４）において、図１の出力部１１０は、ステップ１０８、１１８及びステップ１２２において色変換処理が施された画像データを用紙にプリントし、処理を終了する。
【００６０】
[変形例] 
図１０は、図１に示した画像処理装置１の変形例の機能ブロック図である。
図１０Ａ〜１０Ｄに示す各画像処理装置は、図１の画像処理装置１とは、入力部１０６の構成、画像処理部１０８の構成及び出力部１１０の有無が異なっている。
【００６１】
[変形例１]
図１０Ａに示すように、入力部１０６において、図１に示した第１の色補正部１１８及び第１の色変換部１２０が一体となって第１の色補正・色変換部１３０となり、第１の色補正処理及び第１の色変換処理が同時に実行されてもよい。
また、画像処理部１０８において、図１に示した第２の色補正部１２６及び第２の色変換部１２８が一体となって第２の色補正・色変換１３２となり、第２の色補正処理及び第２の色変換処理が同時に実行されてもよい。
【００６２】
[変形例２]
図１０Ｂに示すように、画像処理部１０８において、図１に示した第２の色補正部１２６及び第２の色変換部１２８の代わりに、第３の色補正部１３４及び第３の色変換部１３６を設けてもよい。例えば、画像データをＪＰＥＧ形式に加工する場合には、このような構成が採られる。
第３の色補正部１３４は、印刷色範囲内で、第２の範囲に含まれる画像データの間の距離が第３の閾値以上となるよう、第２の範囲に含まれる画像データを補正する。なお、第３の閾値は、第２の範囲を含む画像データの識別性が高まるよう（つまり、第２の範囲を含む画像データが、予め定められた距離だけ離れるよう）、予め設定され、記憶部１０２に記憶される。
第３の色変換部１３６は、ＲＧＢ表色系の画像データをＹＣｂＣｒ表色系に変換する。
【００６３】
[変形例３]
図１０Ｃに示すように、画像処理部１０８において、図１０Ｂに示した第３の色補正部１３４及び第３の色変換部１３６を、図１に示した第２の色補正部１２６の前段に設け、図１に示した第２の色変換部１２８の代わりに、第４の色変換部１３８を設けてもよい。例えば、画像データをプリントするとともにＪＰＥＧ形式に加工する場合には、このような構成が採られる。
第２の色補正部１２６は、出力部の色範囲内で、画像データに含まれる第２の範囲の間の距離が第４の閾値以上となるよう、画像データに含まれる第２の範囲を補正する。なお、第４の閾値は、第４の色変換処理後の画像データに含まれる第２の範囲の識別性が高まるよう（つまり、第４の色変換処理後の画像データに含まれる第２の範囲が、予め定められた距離だけ離れるよう）、予め設定され、記憶部１０２に記憶される。
第４の色変換部１３８は、ＹＣｂＣｒ表色系の画像データをＹＭＣＫ表色系に変換する。
【００６４】
[第２の実施形態]
図１１は、本発明の第２の実施形態に係る画像処理装置２の機能ブロック図である。
図１１に示す画像処理装置２は、図１に示す画像処理装置１とは、記憶部１０２に記憶される内容が異なるほか、入力部１０６及び画像処理部１０８の構成が異なっている。
【００６５】
記憶部は、図１の記憶部１０２が記憶する内容（例えば、画像処理装置などで動作するプログラム、読取部１１４によって読み取られた画像データ、画像処理部１０８によって各種画像処理が施された画像データ、第１〜第４の閾値）のほか、第１の色補正処理及び第２の色補正処理における補正量を、第１の色補正処理及び第２の色補正処理が施される画像データに対応付けて記憶する。
図１１に示すように、入力部１０６は、読取部１１４及び第１の色変換部１２０に加え、第１の判定部２００、第２の判定部２０２、第３の判定部２０４、第４の色補正部２０６及び第５の色補正部２０８から構成される。
また、画像処理部１０８は、後処理部１２２及び第２の色変換部１２６に加え、第４の判定部２１０、第５の判定部２１２、第６の判定部２１４、第６の色補正部２１６及び第７の色補正部２１８から構成される。
【００６６】
第１の判定部２００は、読取部１１４から出力された画像データの一部が、第１の範囲のうち少なくともいずれかに含まれるか否かを判定する。第１の判定部２００は、画像データの一部が、例えば、イエロー、オレンジ、パープル及びピンクの蛍光色を示す第１の範囲に含まれるか否かを判定する。
画像データの一部が第１の範囲のいずれにも含まれない場合には、読取部１１４から出力された画像データは、何の処理も施されず、第１の色変換部１２０に出力される。
一方、そうでない場合には、読取部１１４から出力された画像データは、第２の判定部２０２に出力される。
【００６７】
第２の判定部２０２は、読取部１１４から出力された画像データの一部が、第１の中間範囲に含まれるか否かを判定する。
第１の中間範囲とは、第１の色範囲に含まれる画像データと、印刷色範囲内の当該画像データへの距離が最も近い範囲（以下、「第１の周辺範囲」）との間に位置する範囲である。
なお、各範囲間の距離は、色相角の差及び彩度の差などによって示されるが、第１の中間範囲から第１の色範囲に含まれる画像データへの距離と、第１の中間範囲から第１の周辺範囲への距離とは、必ずしも等しいとは限らない。また、第１の色範囲に含まれる画像データは、記憶部１０２から読み出される。
画像データの一部が第１の中間範囲に含まれない場合には、読取部１１４から出力された画像データは、何の処理も施されず、第１の色変換部１２０に出力される。
一方、そうでない場合には、読取部１１４から出力された画像データは、第３の判定部２０４に出力される。
【００６８】
第３の判定部２０４は、図１の判定部１１６と同様、読取部１１４から出力された画像データの一部が、予め定められた複数の第１の範囲のうち、予め定められた組合せの第１の範囲に含まれるか否かを判定する。
画像データの一部が予め定められた組合せの第１の範囲に含まれない場合には、読取部１１４から出力された画像データは、第４の色補正部２０６に出力される。
一方、そうでない場合には、読取部１１４から出力された画像データは、第５の色補正部２０８に出力される。
【００６９】
第４の色補正部２０６は、第１の範囲に含まれる画像データ及び第１の中間範囲に含まれる画像データを補正し、色補正処理後の画像データを第１の変換部１２０に出力する。
具体的には、第４の色補正部２０６は、予め定められた補正量（例えば、第１の色補正処理における補正量）で第１の範囲に含まれる画像データを補正するとともに、第１の中間範囲の位置（例えば、第１の中間範囲から第１の色範囲に含まれる画像データへの距離又は第１の中間範囲から第１の周辺範囲への距離）に応じて、第１の中間範囲に含まれる画像データを補正する。
例えば、第４の色補正部２０６は、第１の範囲に含まれる画像データを補正する際の補正量に、第１の中間範囲から第１の色範囲に含まれる画像データへの距離に比例するよう重み付けした値（距離が大きくなるほど大きくなる値）を乗じた補正量で、第１の中間範囲に含まれる画像データを補正する。なお、第１の範囲に含まれる画像データを補正する際の補正量に、第１の中間範囲から第１の周辺範囲への距離に反比例するよう重み付けした値（距離が大きくなるほど小さくなる値）を乗じた補正量で、第１の中間範囲に含まれる画像データを補正してもよい。
また、例えば、第４の色補正部２０６は、図１２に示すように、第１の中間範囲から第１の色範囲に含まれる画像データへの距離、及び、第１の中間範囲から第１の周辺範囲への距離に応じた割合で、第１の色範囲に含まれる画像データ及び第１の周辺範囲を合成した合成値になるよう、第１の中間範囲に含まれる画像データを補正してもよい。
なお、第１の色範囲に含まれる画像データと第１の周辺範囲とを合成する割合は、画像処理装置２の利用状況（例えば、ある程度の階調ジャンプは許容する、できるだけ階調ジャンプが起こらないようにする）に応じて、変更することができる。
【００７０】
第５の色補正部２０８は、図１の第１の色補正部１１８が備える機能と、第４の色補正部２０６が備える機能との両方を備える。
つまり、第５の色補正部２０６は、第１の範囲に含まれる画像データについては、刷色範囲外で、第１の範囲に含まれる画像データの間の距離が第１の閾値以上となるよう、表色値を補正する。
また、第１の中間範囲に含まれる画像データについては、第１の中間範囲から、第１の色範囲に含まれる画像データへの距離又は第１の中間範囲から第１の周辺範囲への距離に応じて、第１の中間範囲に含まれる画像データを補正する。
【００７１】
第４の判定部２１０は、後処理部１２２から出力された画像データの一部が、第２の範囲のうち少なくともいずれかに含まれるか否かを判定する。第４の判定部２１０は、画像データの一部が、例えば、イエロー、オレンジ、パープル及びピンクの蛍光色を示す第２の範囲に含まれるか否かを判定する。
画像データの一部が第２の範囲のいずれにも含まれない場合には、後処理部１２２から出力された画像データは、何の処理も施されず、第２の色変換部１２６に出力される。
一方、そうでない場合には、読取部１１４から出力された画像データは、第５の判定部２１２に出力される。
【００７２】
第５の判定部２１２は、後処理部１２２から出力された画像データの一部が、第２の中間範囲に含まれるか否かを判定する。
第２の中間範囲とは、第２の色範囲に含まれる画像データと、印刷色範囲内の当該画像データへの距離が最も近い範囲（以下、「第２の周辺範囲」）との間に位置する範囲である。
なお、各範囲間の距離は、色相角の差及び彩度の差などによって示されるが、第２の中間範囲から、第２の色範囲に含まれる画像データへの距離と、第２の中間範囲から第２の周辺範囲への距離とは、必ずしも等しいとは限らない。また、第２の色範囲に含まれる画像データは、記憶部１０２から読み出される。
画像データの一部が第２の中間範囲に含まれない場合には、後処理部１２２から出力された画像データは、何の処理も施されず、第２の色変換部１２６に出力される。
一方、そうでない場合には、後処理部１２２から出力された画像データは、第６の判定部２１４に出力される。
【００７３】
第６の判定部２１４は、図１の第２の判定部１２４と同様、後処理部１２２から出力された画像データの一部が、予め定められた複数の第２の範囲のうち、予め定められた組合せの第２の範囲に含まれるか否かを判定する。
画像データの一部が予め定められた組合せの第２の範囲に含まれない場合には、後処理部１２２から出力された画像データは、第６の色補正部２１６に出力される。
一方、そうでない場合には、後処理部１２２から出力された画像データは、第７の色補正部２１８に出力される。
【００７４】
第６の色補正部２１６は、第２の範囲に含まれる画像データ及び第２の中間範囲に含まれる画像データを補正し、色補正処理後の画像データを第２の変換部１２６に出力する。
具体的には、第６の色補正部２１６は、予め定められた補正量（例えば、第２の色補正処理における補正量）で第２の範囲に含まれる画像データを補正するとともに、第２の中間範囲の位置（例えば、第２の中間範囲から、第２の色範囲に含まれる画像データへの距離又は第２の中間範囲から第２の周辺範囲への距離）に応じて、第２の中間範囲に含まれる画像データを補正する。
例えば、第６の色補正部２１６は、第２の範囲に含まれる画像データを補正する際の補正量に、第２の中間範囲から第２の色範囲に含まれる画像データへの距離に比例するよう重み付けした値（距離が大きくなるほど大きくなる値）を乗じた補正量で、第２の中間範囲に含まれる画像データを補正する。なお、第２の範囲に含まれる画像データを補正する際の補正量に、第２の中間範囲から第２の周辺範囲への距離に反比例するよう重み付けした値（距離が大きくなるほど小さくなる値）を乗じた補正量で、第２の中間範囲に含まれる画像データを補正してもよい。
また、例えば、第６の色補正部２１６は、第４の色補正部２０６と同様、第２の中間範囲から第２の色範囲に含まれる画像データへの距離、及び、第２の中間範囲から第２の周辺範囲への距離に応じた割合で、第２の色範囲に含まれる画像データ及び周辺範囲を合成した合成値になるよう、第２の中間範囲に含まれる画像データを補正してもよい。
なお、第２の色範囲に含まれ、第２の色補正処理がなされた画像データと周辺範囲とを合成する割合は、画像処理装置２の利用状況（例えば、ある程度の階調ジャンプは許容する、できるだけ階調ジャンプが起こらないようにする）に応じて、変更することができる。
【００７５】
第７の色補正部２１８は、図１の第２の色補正部１２６が備える機能と、第６の色補正部２１６が備える機能との両方を備える。
つまり、第７の色補正部２１８は、第２の範囲に含まれる画像データについては、出力部の色範囲内で、第２の範囲に含まれる画像データの間の距離が第２の閾値以上となるよう、表色値を補正する。
また、第２の中間範囲に含まれる画像データについては、第２の中間範囲から、第２の色範囲に含まれる画像データへの距離又は第２の中間範囲から第２の周辺範囲への距離に応じて、第２の中間範囲に含まれる画像データを補正する。
【００７６】
図１３は、図１１を参照して説明した、第２の判定部２０２でなされる判定をさらに説明するためのイメージ図である。なお、図１１の第５の判定部２１２でなされる判定は、第２の判定部２０２でなされる判定と同様であるので、説明を省略する。
図１３に示すように、図７と同様、図１１の読取部１１４によって読み取られた画像データが読取部の色範囲、印刷色範囲及び出力部の色範囲に分布し、読取部１１４によって読み取られた画像データのうち、予め定められた複数の第１の範囲のうち少なくともいずれかに該当する領域（ここでは、領域Ａがピンクに該当する）があるものとする。
【００７７】
第２の判定部２０２は、図１１の記憶部１０２から領域Ａ（ここでは、初期位置Ａ１に位置する領域Ａ）を読み出して周辺範囲Ｐを取得する。
さらに、第２の判定部２０２は、図１１の読取部１１４から出力された画像データの一部が、初期位置Ａ１に位置する領域Ａ及び周辺範囲Ｐの間に位置する中間範囲Ｍに含まれるか否かを判定する。
上述したように、画像データの一部が中間範囲Ｍに含まれる場合には、図１１の第４の色補正部２０６は、領域Ａに含まれる画像データを補正するとともに、領域Ａと中間範囲Ｍとの距離Ｄ３又は中間範囲Ｍと周辺領域Ｐとの距離Ｄ４に応じて、中間範囲Ｍに含まれる画像データを補正する。色補正処理後、領域Ａは初期位置Ａ１からＡ２に移動し、中間範囲Ｍは、初期位置Ｍ１から、Ａ１からＡ２への移動距離にＤ３又はＤ４に応じた重み付けの値を乗じた距離だけ移動して、Ｍ２に移動する。
このように、図１１の読取部１１４から出力された画像データの一部が中間範囲に含まれる場合、図１１の第４の色補正部２０６が中間範囲に含まれる画像データに対して施す色補正処理（「第４の色補正処理」）及び第５の色補正部２０８が中間範囲に含まれる画像データに対して施す色補正処理（「第５の色補正処理」）により、第１の色補正処理及び第２の色補正処理後、第１の範囲及び第２の範囲に含まれる画像データと周辺範囲との間で起こる階調ジャンプを制御することができる。
【００７８】
図１４及び図１５は、本発明の第２の実施形態に係る画像処理装置２の全体動作を示すフローチャートである。
図１４において、ステップ２００（Ｓ２００）の処理は、図９のステップ１００（Ｓ１００）の処理と同じであり、ステップ２０４〜２０８（Ｓ２０４〜２０８）の処理は、図９のステップ１０４〜１０８（Ｓ１０４〜１０８）の処理と同じである。また、ステップ２１０（Ｓ２１０）の処理は、図９のステップ１２４（Ｓ１２４）の処理と同じであり、ステップ２１４（Ｓ２１４）の処理は、図９のステップ１０２（Ｓ１０２）の処理と同じである。また、ステップ２１８，２２０（Ｓ２１８，２２０）の処理は、図９のステップ１１２，１１４（Ｓ１１２，１１４）と同じである。
図１５において、ステップ２２６（Ｓ２２６）の処理は、図９のステップ１１８（Ｓ１１８）の処理と同じであり、ステップ２２８（Ｓ２２８）の処理は、図９のステップ１２４（Ｓ１２４）の処理と同じである。また、ステップ２３２（Ｓ２３２）の処理は、図９のステップ１１６（Ｓ１１６）の処理と同じであり、ステップ２３６（Ｓ２３６）の処理は、ステップ１１８（Ｓ１１８）の処理と同じであり、ステップ２３８（Ｓ２３８）の処理は、ステップ１２４（Ｓ１２４）の処理と同じである。
以下、図９の各ステップとは異なるステップを説明する。
【００７９】
図１４に示すように、ステップ２０２（Ｓ２０２）において、図１１の第１の判定部２００は、ステップ２００において生成された画像データの一部が、第１の範囲の少なくともいずれかに含まれるか否かを判定する。画像データの一部がいずれの第１の範囲にも含まれない場合には、ステップ２０４の処理に進み、そうでない場合には、ステップ２１２の処理に進む。
ステップ２１２（Ｓ２１２）において、図１１の第２の判定部２０２は、ステップ２００において生成された画像データの一部が、第１の中間範囲を含むか否かを判定する。画像データの一部が第１の中間範囲を含まない場合には、ステップ２０４の処理に進む。一方、そうでない場合には、ステップ２１４の処理に進み、図１１の第３の判定部２０４によって、ステップ１００において生成された画像データの一部が、予め定められた組合せの第１の範囲に含まれるか否かが判定される。
【００８０】
ステップ２１６（Ｓ２１６）において、図１１の第４の色補正部２０６は、ステップ２００において生成され、第１の範囲に含まれる画像データ及び第１の中間範囲に含まれる画像データに対して色補正処理を施す。
ステップ２２２（Ｓ２２２）において、図１１の第５の色補正部２０８は、ステップ２００において生成され、第１の範囲に含まれる画像データ及び第１の中間範囲に含まれる画像データに対して色補正処理を施す。
【００８１】
図１５に示すように、ステップ２２４（Ｓ２２４）において、図１１の第４の判定部２１０は、ステップ２２０において画像処理がなされた画像データの一部が、第２の範囲の少なくともいずれかに含まれるか否かを判定する。画像データの一部がいずれの第２の範囲にも含まれない場合には、ステップ２２６の処理に進み、そうでない場合には、ステップ２３０の処理に進む。
ステップ２３０（Ｓ２３０）において、図１１の第５の判定部２１２は、ステップ２２０において画像処理がなされた画像データの一部が、第２の中間範囲を含むか否かを判定する。画像データの一部が第２の中間範囲を含まない場合には、ステップ２２６の処理に進む。一方、そうでない場合には、ステップ２３２の処理に進み、図１１の第６の判定部２１４によって、ステップ２２０において画像処理がなされた画像データの一部が、予め定められた組合せの第２の範囲に含まれるか否かが判定される。
【００８２】
ステップ２３４（Ｓ２３４）において、図１１の第６の色補正部２１６は、ステップ２２０において画像処理がなされ、第２の範囲に含まれる画像データ及び第２の中間範囲に含まれる画像データに対して色補正処理を施す。
ステップ２４０（Ｓ２４０）において、図１１の第７の色補正部２１８は、ステップ２２０において画像処理がなされ、第２の範囲に含まれる画像データ及び第２の中間範囲に含まれる画像データに対して色補正処理を施す。
【符号の説明】
【００８３】
１        第１の実施形態に係る画像処理装置
１００  制御部
１０２  記憶部
１０４  通信部
１０６  入力部
１０８  画像処理部
１１０  出力部
１１２  バス
１１４  読取部
２        第２の実施形態に係る画像処理装置
【図１】
2011259388.tif 000003
【図２】
2011259388.tif 000004
【図３】
2011259388.tif 000005
【図４】
2011259388.tif 000006
【図５】
2011259388.tif 000007
【図６】
2011259388.tif 000008
【図７】
2011259388.tif 000009
【図８Ａ】
2011259388.tif 000010
【図８Ｂ】
2011259388.tif 000011
【図８Ｃ】
2011259388.tif 000012
【図９】
2011259388.tif 000013
【図１０Ａ】
2011259388.tif 000014
【図１０Ｂ】
2011259388.tif 000015
【図１０Ｃ】
2011259388.tif 000016
【図１１】
2011259388.tif 000017
【図１２】
2011259388.tif 000018
【図１３】
2011259388.tif 000019
【図１４】
2011259388.tif 000020
【図１５】
2011259388.tif 000021